(57)【要約】【課題】本考案は、定性・定量分析を短時間に精度良く実行可能な自動分析装置に関し、従来技術の問題である装置の高速化に伴う不十分な脱気性能を改善することを目的とする。【解決手段】液体を供給する給水ポンプと、前記給水ポンプで供給された液体を脱気する脱気装置と、前記脱気液を脱気する前の流路内に戻す循環流路を備え、前記脱気液を使用する検体サンプリング機構，試薬サンプリング機構の少なくともいずれかを備えており、各サンプリング機構用に供給水制御弁を備えた自動分析装置において、前記循環流路内に圧力切り替え弁を設置し、該圧力切り替え弁が閉じている時間は前記脱気液を前記検体サンプリング機構及び試薬サンプリング機構に供給するようにし、前記圧力切り替え弁が開いている時間は前記脱気液が前記循環流路を介して脱気装置を循環するように構成されている自動分析装置。【選択図】図１
0003123748.tif 000002
【実用新案登録請求の範囲】
【請求項１】
液体を供給する給水ポンプと、前記給水ポンプで供給された液体を脱気する脱気装置と、前記脱気液を脱気する前の流路内に戻す循環流路を備え、前記脱気液を使用する検体サンプリング機構，試薬サンプリング機構の少なくともいずれかを備えており、各サンプリング機構用に供給水制御弁を備えた自動分析装置において、
前記循環流路内に圧力切り替え弁を設置し、該圧力切り替え弁が閉じている時間は前記脱気液を前記検体サンプリング機構及び試薬サンプリング機構に供給するようにし、前記圧力切り替え弁が開いている時間は前記脱気液が前記循環流路を介して脱気装置を循環するように構成されていることを特徴とする自動分析装置。
【請求項２】
請求項１の自動分析装置において、
前記循環流路内に、前記検体サンプリング機構，試薬サンプリング機構以外の部分に前記脱気水を供給するように構成されていることを特徴とする自動分析装置。
【考案の詳細な説明】
【技術分野】
【０００１】
本考案は、血液，尿等の生体サンプルの定性・定量分析を自動で実行する自動分析装置に係り、特に十分に脱気された水が供給可能な機構を備えた自動分析装置に関する。
【背景技術】
【０００２】
検体中の分析成分の定性・定量分析を短時間に精度良く実行可能な自動分析装置は、多量の検体を短時間で分析することが要求される検査センター，大病院を中心に普及している。この装置の原理は分析成分と反応して化学変化を起こす試薬を利用して、該化学変化の程度を光度計等を利用して分析するものである。
【０００３】
近年の装置の高速化によりサンプリングノズルの洗浄水の供給にギアポンプ等の加圧ポンプが使用され、高圧水によって短時間で洗浄している。また使用する液体はギアポンプで加圧することにより液中に含まれる溶存酸素が気泡となって発生し、それがダンパーとなって分注精度を悪化させるため、これを改善するために脱気装置により液体を脱気して供給している。従来はこの脱気水はギアポンプのＩＮ側とＯＵＴ側を圧力切り替え弁を介して接続し必要な時にだけ弁を閉じて高圧水を各サンプリング機構のノズルに供給し、通常は圧力切り替え弁を開いてギアポンプ内のクローズした循環流路で脱気水を循環させていた。このため液体は１度しか脱気装置を通過しない構造となっていた。このような自動分析装置は例えば特許文献１に記載されている。
【０００４】
低速の自動分析装置ならこの方法でも問題はないと考えられるが装置の高速化が進んでいる現在では十分な脱気がされないまま脱気水が供給される可能性がある。
【０００５】
ギアポンプを設置してある装置の場合、従来のクローズした循環流路ではセルブランク水に脱気水を使用するのが装置のスケジューリングの問題（圧力切り替え弁のタイミング等）及びハード的には逆流防止弁を設置しなければならないなど問題が多くコスト的にも不利であった。
【０００６】
【特許文献１】特開２００５−１８１０８７号公報
【考案の開示】
【考案が解決しようとする課題】
【０００７】
本考案は、定性・定量分析を短時間に精度良く実行可能な自動分析装置に有効である。上記従来技術の問題である装置の高速化に伴う不十分な脱気性能を改善し、特にギアポンプ等の加圧ポンプを設置した装置に対して容易に脱気水をサンプリング機構以外の部分にも使用することを可能とする。
【課題を解決するための手段】
【０００８】
上記目的を達成するための本考案の構成は以下の通りである。
【０００９】
液体を供給する給水ポンプと給水ポンプで供給された液体を脱気する脱気装置と脱気装置により脱気された脱気液を加圧する加圧ポンプと脱気液を脱気する前の流路内に戻す循環流路を備えておりまた、脱気液を使用する検体サンプリング機構と試薬サンプリング機構を備えた自動分析装置において、循環流路内に圧力切り替え弁を設置することにより、弁が閉じている時間は加圧された脱気液を検体サンプリング機構及び試薬サンプリング機構に供給することが可能であり、圧力切り替え弁が開いている時間は脱気液が循環流路を介して再び脱気装置に供給される構成になっている。このような装置構成にすることにより、少なくとも圧力切り替え弁が開いている時間はギアポンプから流出した脱気水は循環流路内を通過して再び脱気装置内に流入することを繰り返し、高い脱気性能を得られることが可能となる。また、この循環流路内に分岐管を設置すれば、セルブランク水等のその他の部分へ脱気水を供給することも可能である。給水ポンプとギアポンプは流路で接続されている構造とし、脱気水を効率よく循環させるためにギアポンプから流出し、圧力切り替え弁を通過した脱気水の方を少し圧力を高く設定しておけばギアポンプ側へ逆流することはなくなる。装置のスケジューリングによっては圧力切り替え弁が閉じてある時間にサンプリング機構以外の部分に脱気水が必要となる場合も考えられるが、その時はギアポンプの圧力は遮断されてしまうので給水ポンプの圧力で供給すればよい。微量な水量を必要とする場合は循環流路内の脱気水で対応可能であるが、多くの水量を必要とする場合は循環流路内に小型のバッファタンク等を設けた分析装置としてもよい。
【考案の効果】
【００１０】
ギアポンプ等の加圧ポンプを使用した動作が高速な自動分析装置において、脱気性能が向上することにより安定した分注精度を得ることが可能となる。また、装置のスケジューリングなどを考慮せず容易に脱気性能の高い脱気水を分注系以外の部分にも供給することが可能となる。
【考案を実施するための最良の形態】
【００１１】
本考案の実施例を図１により説明する。
【００１２】
図１は自動分析装置の液体消費系流路の概略図である。給水タンク１に貯蔵された液体は給水ポンプ２によって各流路系へ送水されている。送水された一部が脱気装置１２の中に流入し脱気される。脱気された液体はギアポンプ３に吸入され加圧されて流出される。加圧された脱気水は検体サンプリング機構４及び試薬サンプリング機構５側と循環流路
１５側へ２方に分岐され、圧力切り替え弁７が開じている時間は前記の各サンプリング機構側へ高圧な液体が送水される。この時、送水された液体は電磁弁Ｓ１０及び電磁弁Ｒ11により制御され、各サンプリング機構のノズルの洗浄時間に各電磁弁が開き高圧水が送水される。この時間はギアポンプ３の圧力は圧力切り替え弁７によって循環流路１５側へは伝わらないため、給水ポンプ２の圧力が循環流路１５へ掛かることになる。一方、圧力切り替え弁７が開いている場合は循環流路１５を通過して再度脱気装置１２に流入することになり、脱気水は循環する。脱気水が圧力切り替え弁を通過するときは弁の構造によりギアポンプの水圧は減圧されており、給水ポンプの水圧より少し高めに設定されている。
【００１３】
図１の様に循環流路１５に分岐管１３を設置すれば、セルブランク水ノズル６の様にその他の部分に接続することが可能となり、消費水量が多い部分にも使用したい場合は脱気水バッファタンク１６などを設けることにより対応できる。
【図面の簡単な説明】
【００１４】
【図１】本考案による実施例の消費系流路概略図。
【符号の説明】
【００１５】
１…給水タンク、２…給水ポンプ、３…ギアポンプ、４…検体サンプリング機構、５…試薬サンプリング機構、６…セルブランク水ノズル、７…圧力切り替え弁、８…シリンジＳ、９…シリンジＲ、１０…電磁弁Ｓ、１１…電磁弁Ｒ、１２…脱気装置、１３…分岐管、１４…電磁弁Ｂ、１５…循環流路、１６…脱気水バッファタンク。
【図１】
0003123748.tif 000003